(57)【要約】【課題】買参入による集荷時間を短縮し、集荷場の混雑を緩和する。【解決手段】置場位置割振り機能Ｓ１は集荷ファイルＦ１にもつ置場番号と商品番号から当該商品の実際の集荷位置を商品置場マップＭ上に登録しておく。競り情報検索機能Ｓ２は競りファイルＦ２にもつ商品番号と買参入名から買参入別の競り情報を検索する。マッチング機能Ｓ３は買参入別の競り情報の検索結果と商品置場マップＭの照合を行い、買参入別の商品の置場データを抽出する。最短ルート作成機能Ｓ４は置場データがもつ各置場番号の全ての置場を最短距離で回るためのルート情報を作成する。集荷ルート順ソート機能Ｓ５は買参入の競り落とし商品番号を最短ルートの置場順にソートする。買い上げ伝票出力機能Ｓ６は置場順にソートした商品番号を含む情報を買上げ伝票として発行する。【選択図】  図１
2005162377.tif 000002
【特許請求の範囲】
【請求項１】
生産者が入荷した各商品を集荷場に集荷し、前記集荷場の各商品の見本品を競り場に移送し、競り場で競り落とした各商品を買参入が前記集荷場から集荷する卸売市場の業務を、コンピュータ設備によって支援する業務支援方法において、
前記コンピュータ設備は、
買参入が競り落とした各商品の商品情報と前記集荷場の実際の商品置場情報とから各競り商品の集荷のための最短ルートを作成し、前記競り商品情報を前記最短ルート順にソートした買上げ伝票を買参入に発行する処理手順を有することを特徴とする卸売市場の業務支援方法。
【請求項２】
生産者が入荷した各商品を集荷場に集荷し、前記集荷場の各商品の見本品を競り場に移送し、競り場で競り落とした各商品を買参入が前記集荷場から集荷する卸売市場の業務を、コンピュータ設備によって支援する業務支援システムにおいて、
前記コンピュータ設備は、
前記集荷場に集荷された各商品の置場番号と商品番号などの集荷情報を集荷ファイルとして作成・保存しておく手段と、
前記競り場で競り落とされた商品の商品番号と買参入名などの競り情報を競りファイルとして作成・保存しておく手段と、
前記集荷ファイルにもつ置場番号と商品番号から当該商品の実際の集荷位置を商品置場マップ上に登録しておく置場位置割振り手段と、
前記競りファイルにもつ商品番号と買参入名から買参入別の競り情報を検索する競り情報検索手段と、
前記買参入別の競り情報の検索結果と商品置場マップの照合を行い、買参入別の商品の置場データを抽出するマッチング手段と、
前記置場データがもつ各置場番号の全ての置場を最短距離で回るためのルート情報を作成する最短ルート作成手段と、
前記買参入の競り落とし商品番号を最短ルートの置場順にソートする集荷ルート順ソート手段と、
前記置場順にソートした商品番号を含む情報を買上げ伝票として買参入に発行する買い上げ伝票出力手段と、
を備えたことを特徴とする卸売市場の業務支援システム。
【発明の詳細な説明】
【技術分野】
【０００１】
本発明は、花き市場や青果市場、魚市場などの卸売市場の業務をコンピュータ設備によって支援する業務支援方法およびシステムに係り、特に集荷場での買参入による集荷業務支援に関する。
【背景技術】
【０００２】
図３は、花き市場と、その業務支援システムの構成例を示す。システムは、データベースサーバ１を中枢部として市場ネットワーク２により各種の入出力装置が結合される。入出力装置には、入荷端末３と、入荷シールプリンタ４と、集荷装置５と、競り業務全般の帳票・伝票の発行処理を行う帳票・伝票発行装置６と、競り操作装置７および応札機８等を設備している（例えば、特許文献１参照）。
【０００３】
生産者が出荷する花き「商品Ａ」には、花きの種類、大きさ、色等で区別して所定の本数単位でダンボール、トレーなどの梱包ケースに入れられ、生産者側で出荷伝票が付されて市場に入荷される。この入荷に際して、入荷端末３には、実際の商品と出荷伝票の員数等のチェック結果・生産者名・入荷数量・商品品種などの入荷情報が入力される（荷受け）。また、「商品Ａ」にはプリンタ４により入荷シールが貼り付けられる。これらの情報はサーバ１に収集・登録される。
【０００４】
生産者から入荷された多種多様の「商品Ａ」は、集荷場Ｂに集荷される。この集荷に際して、集荷装置５には、「商品Ａ」別に商品番号や集荷位置番号などの集荷情報が入力される。この情報はサーバ１に収集・登録される。
【０００５】
図４は、集荷場Ｂの商品置場の構成例を示し、大きくには６つの商品置場Ｂ１〜Ｂ６に区分けされ、これら各商品置場は番号で割り振られて細かく区分される。図示の例では各商品置場がそれぞれ１０区画に区分され、各商品置場に種々の「商品Ａ」が集荷される。例えば、商品置場Ｂ１−１には「シクラメン３寸、白」が１０鉢、商品置場Ｂ１−２には「シクラメン４寸、赤」が２０鉢、商品置場Ｂ４−３１には「コチョウラン２本立、白」が５鉢、商品置場Ｂ４−３１には「コチョウラン３本立、赤」が５鉢などが集荷され、生産者別、花きの種類等から商品置場が決められる。
【０００６】
図３に戻って、集荷場Ｂに集荷された花き商品は、その見本品が競り場Ｃに移送されて競りにかけられる。例えば、梱包ケースに１０鉢が詰められた集荷場Ｂの「商品Ａ」から１鉢が取り出されて競り場に移送され、残り９鉢は集荷場Ｂに残される。なお、梱包ケースに１鉢だけ詰められたものはそのまま見本品にされる。
【０００７】
競り場Ｃに移送された多種類、多数の花き商品の見本品は競りにかけられ、競り操作卓や競り表示器を備えた競り操作装置７による商品情報の提示と競り応答操作と、買参入による応札機８の応札操作により競り落される。競りにかけられた見本品は、集荷場Ｂに戻され、元の梱包ケースに戻される。
【０００８】
これら競り落とされた競り情報（商品番号、競り値、買参入の氏名・屋号など）はサーバ１に収集・登録される。サーバ１は、買参入の購入価格の算出、生産者の売上げ価格の算出を行い、これらを元にして買参入には買上伝票と荷積み票が、生産者には売買仕切伝票が帳票・伝票発行装置６により印字発行される。
【０００９】
商品を競り落とした買参入は、集荷場Ｂに出向き、買上伝票あるいは荷積み票との照合を受けながら各商品置場で集荷車等を使って競り商品を集荷する。
【特許文献１】特開２００２−２７９１１６
【発明の開示】
【発明が解決しようとする課題】
【００１０】
花き市場において、商品を競り落とした買参入に発行される買上伝票（あるいは荷積み票）は、競り商品に対して集荷場Ｂの商品置場順、商品の品種順で印字される。買参入は、買上伝票に印字された順に商品置場を回りながら、競り落とした商品を集荷するため、集荷に時間と手間がかかる問題があった。
【００１１】
例えば、図５に集荷ルートの例を示すように、買参入が競り落とした商品がＢ１−５、６、１０、Ｂ２−１１、１６、２０、Ｂ３−２１、２５の置場になるとき、買参入は図中に矢印で示すようなルートＲで移動しながら集荷することになり、多くの買参入で混雑する集荷場内を行き来しなければならない。
【００１２】
このような集荷方式では、多数の買参入が集中する時間帯では、買参入にはそれぞれ大きな負担になる。また、市場側にとっては集荷場Ｂの混雑が一連の業務を遅らせ、市場業務全体の遅れの原因にもなる。
【００１３】
本発明の目的は、買参入による集荷時間を短縮し、集荷場の混雑を緩和できる卸売市場の業務支援方法およびシステムを提供することにある。
【課題を解決するための手段】
【００１４】
本発明は、前記の課題を解決するため、買参入が競り落とした各商品の商品情報と集荷場の実際の商品置場情報とから競り商品の集荷のための最短ルートを作成し、競り商品情報を最短ルート順にソートした買上げ伝票を買参入に発行するようにしたもので、以下の方法、装置を特徴とする。
【００１５】
（１）生産者が入荷した各商品を集荷場に集荷し、前記集荷場の各商品の見本品を競り場に移送し、競り場で競り落とした各商品を買参入が前記集荷場から集荷する卸売市場の業務を、コンピュータ設備によって支援する業務支援方法において、
前記コンピュータ設備は、
買参入が競り落とした各商品の商品情報と前記集荷場の実際の商品置場情報とから各競り商品の集荷のための最短ルートを作成し、前記競り商品情報を前記最短ルート順にソートした買上げ伝票を買参入に発行する処理手順を有することを特徴とする。
【００１６】
（２）生産者が入荷した各商品を集荷場に集荷し、前記集荷場の各商品の見本品を競り場に移送し、競り場で競り落とした各商品を買参入が前記集荷場から集荷する卸売市場の業務を、コンピュータ設備によって支援する業務支援システムにおいて、
前記コンピュータ設備は、
前記集荷場に集荷された各商品の置場番号と商品番号などの集荷情報を集荷ファイルとして作成・保存しておく手段と、
前記競り場で競り落とされた商品の商品番号と買参入名などの競り情報を競りファイルとして作成・保存しておく手段と、
前記集荷ファイルにもつ置場番号と商品番号から当該商品の実際の集荷位置を商品置場マップ上に登録しておく置場位置割振り手段と、
前記競りファイルにもつ商品番号と買参入名から買参入別の競り情報を検索する競り情報検索手段と、
前記買参入別の競り情報の検索結果と商品置場マップの照合を行い、買参入別の商品の置場データを抽出するマッチング手段と、
前記置場データがもつ各置場番号の全ての置場を最短距離で回るためのルート情報を作成する最短ルート作成手段と、
前記買参入の競り落とし商品番号を最短ルートの置場順にソートする集荷ルート順ソート手段と、
前記置場順にソートした商品番号を含む情報を買上げ伝票として買参入に発行する買い上げ伝票出力手段と、
を備えたことを特徴とする。
【発明の効果】
【００１７】
以上のとおり、本発明によれば、買参入が競り落とした各商品について、その集荷のための最短ルート順に競り商品情報をソートした買上げ伝票を買参入に発行するようにしたため、買参入は集荷場内を最短ルートで競り商品の全てを一挙に集荷することができ、集荷時間を短縮できる。
【００１８】
また、卸売市場側は、集荷場の混雑緩和が可能となり、これに伴って集荷スペースの縮小、もしくは集荷できる量を多くすることができる。
【発明を実施するための最良の形態】
【００１９】
図１は、本発明の実施形態を示し、図３におけるサーバ１がもつ各種の業務支援機能のうちの１つになる集荷業務支援の機能構成図である。
【００２０】
サーバ１は、集荷装置５で収集された集荷情報を集荷ファイルＦ１として作成・保存しておく。この集荷ファイルＦ１は、花きの商品番号、置場番号、品種、数量等の項目をもつ。また、サーバ１は、競り操作装置７および応札機８による競り情報を競りファイルＦ２として作成・保存しておく。この競りファイルＦ２は、商品番号、買参入名、競り値、数量等の項目をもつ。さらに、サーバ１は、集荷場Ｂの商品置場マップＭをデータとして作成・保存しておく。このマップＭは図４の置場Ｂ１〜Ｂ６と同等の項目と位置情報をもつ。
【００２１】
サーバ１による集荷業務支援機能を説明する。置場位置割振り機能Ｓ１は、集荷ファイルＦ１にもつ置場番号と商品番号から当該商品の実際の集荷位置を商品置場マップＭ上に登録しておく。競り情報検索機能Ｓ２は、競りファイルＦ２にもつ商品番号と買参入名から買参入別の競り情報を検索する。
【００２２】
マッチング機能Ｓ３は、買参入別の競り情報の検索結果と、商品置場マップＭの照合を行い、買参入が競り落とした各商品の商品番号と商品置場マップＭの商品番号の一致で、買参入別の商品の置場データを抽出する。
【００２３】
最短ルート作成機能Ｓ４は、買参入別の置場データがもつ各置場番号の全ての置場を最短距離で回るためのルートを解析し、買参入別の最短ルート情報を作成する。なお、最短ルートの解析は、例えば、情報処理における巡回セールスマン問題と同様の処理方式で実現される。
【００２４】
集荷ルート順ソート機能Ｓ５は、買参入の競り落とし商品番号を最短ルートの置場順にソートする。買い上げ伝票出力機能Ｓ６は、置場順にソートした商品番号とそれに関連する競り情報を帳票・伝票発行装置６を利用して買上げ伝票として買参入に発行する。
【００２５】
以上までの機能をサーバ１が搭載することで、買参入は、買上げ伝票を受け取り、集荷場Ｂで買上げ伝票に印字される商品番号順に集荷することで、多数の競り商品を最短ルートで集荷することができる。
【００２６】
例えば、買参入が競り落とした商品の置場がＢ１−５、６、１０、Ｂ２−１１、１６、２０、Ｂ３−２１、２５になるとき、従来では図２の（ｂ）に示すように、買参入は置場順には図中に矢印で示すようなルートＲで移動しながら集荷することになるのに対し、本実施形態では図２の（ａ）に示す最短ルートＲ’で集荷することができる。
【００２７】
なお、実施形態は、花き市場の業務支援システムの場合を示すが、花き商品に代えて野菜や魚貝類などを見本品を使用して競りを行う青果市場や魚市場の業務支援に適用して同等の作用効果を得ることができる。
【図面の簡単な説明】
【００２８】
【図１】本発明の実施形態を示す集荷業務支援の機能構成図。
【図２】集荷ルートの例。
【図３】花き市場の業務支援システムの例。
【図４】集荷場の例。
【図５】集荷ルートの例。
【符号の説明】
【００２９】
１  データベースサーバ
２  市場ネットワーク
３  入荷端末
４  入荷シールプリンタ
５  集荷装置
６  帳票・伝票発行装置
７  競り操作装置
８  応札機
Ｆ１  集荷ファイル
Ｆ２  競りファイル
Ｍ  商品置場マップ
【図１】
2005162377.tif 000003
【図２】
2005162377.tif 000004
【図３】
2005162377.tif 000005
【図４】
2005162377.tif 000006
【図５】
2005162377.tif 000007